(57)【要約】【課題】透明フィルムに配される彩色部が包装される物品の意図した領域に適切に位置しているか否かを容易に識別できることが望まれる。【解決手段】第１の面３０Ｂと、この第１の面３０Ｂに稜３２を介して隣接する第２の面３０Ｆとをそれぞれ有する複数の同一物品３０を透明なフィルム２０により一体的に包装してなる本発明による包装体１０のフィルム２０の一部には、第１および第２の面３０Ｂ，３０Ｆが外側に露出する物品３０の第１の面３０Ｂと対向する第１の彩色部２１と、この物品３０の第２の面３０Ｆと対向する第２の彩色部２２と、第１および第２の彩色部２１，２２の間に位置すると共にこれら２つの彩色部２１，２２に連続し、物品３０の外側に露出する第１および第２の面３０Ｂ，３０Ｆとこれらの間の稜３２とに対向し、物品３０に対する第１および第２の彩色部２１，２２の位置ずれの程度を識別するための位置ずれ識別部２３とが配されている。【選択図】図２
2019059513.tif 000002
【特許請求の範囲】
【請求項１】
第１の面と、この第１の面に稜を介して隣接する第２の面とをそれぞれ有する複数の同一物品を透明なフィルムにより一体的に包装してなる包装体であって、
前記フィルムの一部には、
前記第１の面および前記第２の面が外側に露出する少なくとも１つの前記物品の前記第１の面と対向する第１の彩色部と、
前記第１の面および前記第２の面が外側に露出する前記少なくとも１つの物品の前記第２の面と対向する第２の彩色部と、
前記第１および第２の彩色部の間に位置すると共にこれら２つの彩色部に連続し、前記少なくとも１つの物品の外側に露出する前記第１の面および前記第２の面とこれらの間の前記稜とに対向し、前記少なくとも１つの物品に対する前記第１および第２の彩色部の位置ずれの程度を識別するための位置ずれ識別部と
が配されていることを特徴とする包装体。
【請求項２】
前記物品の第１の面には、この物品に関する情報を含む第１の識別コードが印刷され、前記第１の彩色部は包装体に関する情報を含む第２の識別コードを有し、この第２の識別コードが前記物品の第１の面にある前記第１の識別コードを覆うように配されることを特徴とする請求項１に記載の包装体。
【請求項３】
前記第２の彩色部がキャラクターを含んでいることを特徴とする請求項１または請求項２に記載の包装体。
【請求項４】
前記第１および第２の彩色部と、前記位置ずれ識別部とが前記フィルムに貼付されるラベルであることを特徴とする請求項１から請求項３のうちの何れか一項に記載の包装体。
【請求項５】
前記フィルムがシュリンクフィルムであり、前記第１および第２の彩色部と、前記位置ずれ識別部とが包装前の前記シュリンクフィルムにあらかじめ印刷され、シュリンクフィルムの加熱接合部および熱収縮部が前記物品の第１および第２の面以外の面と対向する位置にあることを特徴とする請求項１から請求項３のうちの何れか一項に記載の包装体。
【請求項６】
前記稜と対向する前記位置ずれ識別部の前記稜に沿った長さは、前記稜と直交する方向に沿って前記稜から離れるほど長くなっていることを特徴とする請求項１から請求項５までの何れか一項に記載の包装体。
【請求項７】
前記稜と対向する前記位置ずれ識別部の前記稜に沿った長さは、前記稜と直交する方向に沿って前記稜から離れるほど短くなっていることを特徴とする請求項１から請求項５までの何れか一項に記載のシュリンク包装体。
【請求項８】
前記稜と対向する前記位置ずれ識別部は、前記第１の彩色部および前記第２の彩色部に対し、前記稜に沿って何れかの方向にオフセットされていることを特徴とする請求項１から請求項５までの何れか一項に記載のシュリンク包装体。
【発明の詳細な説明】
【技術分野】
【０００１】
本発明は、複数の同一物品を重ね合わせて透明なフィルムにより一体的に包装した包装体に関する。
【背景技術】
【０００２】
個々に販売可能な商品を複数個、例えば２箱のティシュカートンを一体的に包装して販売する場合がある。この場合、包装部分にその商品情報が記録された識別コードを印刷するか、あるいは識別コードラベルを別途貼り付ける必要がある。一方、個々のティシュカートンにはその商品情報を記録したバーコードなどの識別コードがすでに印刷されている。このため、複数個のティシュカートンを一体的に包装したカートンパックにおいては、個々のティシュカートンに印刷された識別コードが読み取られることがないようにしておく必要がある。
【０００３】
そこで、例えば特許文献１に記載されているように、透明なシュリンクフィルムにあらかじめ印刷されたバーコードや、シュリンク包装体の表面に貼付されるバーコードラベルを個々の同一商品に印刷されたバーコードと重なるように配している。これにより、シュリンクフィルムに印刷されたバーコードや、シュリンク包装体の表面に貼付されるバーコードラベルによって、個々の商品に印刷されたバーコードを外側から見えなくすることができる。
【先行技術文献】
【特許文献】
【０００４】
【特許文献１】特開２０１６−１９３７４７号公報
【発明の概要】
【発明が解決しようとする課題】
【０００５】
複数の同一物品を同じ向きに重ね合わせ、これらを透明なフィルムによって一体的に包装した包装体にあっては、この包装体が複数の個別商品をまとめたものであることを視覚的に明瞭化させることが望まれる。ティシュカートンにおいては、通常、このティシュカートンに関する情報を含む識別コードがカートンボックスの底面に印刷されている。このようなティシュカートンを同じ向きに重ね合わせてシュリンク包装する場合、ティシュカートンの横長の側面部分に個包装ではない旨の情報を表示することが高い視覚的効果を得られる。そこで、意匠的な観点から、カートンボックスの底面と側面とに跨がった領域を一体的な彩色部としてシュリンクフィルムに形成することが考えられている。
【０００６】
周知のように、シュリンク包装体は相互に重ね合わされた複数の同一物品をシュリンクフィルムで覆い、その開口部をヒートシールすると共にフィルム全体を熱収縮させることによって相互に重ね合わされた複数の同一物品に対して密着状態となる。このため、識別コードなどをあらかじめ印刷したシュリンク包装体にあっては、本来、ティシュカートンの底面および横長の側面にそれぞれ配されるべきシュリンクフィルムに印刷された部分がずれてしまう可能性がある。特に、熱収縮後の識別コードがティシュカートンに印刷された識別コードに対して正確に重なり合わなかったりすると、梱包ラインでの識別コードの機械的な読み取りが困難となる。これは、識別コードが印刷されたラベルを透明なフィルムに機械的に貼付する場合においても、同様である。
【０００７】
本発明の目的は、複数の同一物品を一体的に包装する透明なフィルムに彩色部を配した場合、この彩色部の位置が包装体の意図した領域に位置しているか否かを検品時に目視または光学的検査によって容易に識別できる包装体を提供することにある。
【課題を解決するための手段】
【０００８】
本発明による包装体は、第１の面と、この第１の面に稜を介して隣接する第２の面とをそれぞれ有する複数の同一物品を透明なフィルムにより一体的に包装してなる包装体であって、前記フィルムの一部には、前記第１の面および前記第２の面が外側に露出する少なくとも１つの前記物品の前記第１の面と対向する第１の彩色部と、前記第１の面および前記第２の面が外側に露出する前記少なくとも１つの物品の前記第２の面と対向する第２の彩色部と、前記第１および第２の彩色部の間に位置すると共にこれら２つの彩色部に連続し、前記少なくとも１つの物品の外側に露出する前記第１の面および前記第２の面とこれらの間の前記稜とに対向し、前記少なくとも１つの物品に対する前記第１および第２の彩色部の位置ずれの程度を識別するための位置ずれ識別部とが配されていることを特徴とする。
【０００９】
本発明においては、フィルムに配された位置ずれ識別部が物品の稜に重なっていない場合、物品に対するフィルムの彩色部の位置が不適正であると判断される。換言すると、物品の第１の面と第２の面との間の稜に対して直交する方向への第１または第２の彩色部の位置ずれの程度が判定される。
【００１０】
本発明による包装体において、物品に関する情報を含む第１の識別コードがこの物品の第１の面に印刷され、第１の彩色部は包装体に関する情報を含む第２の識別コードを有し、この第２の識別コードが物品の第１の面にある第１の識別コードを覆うように配されることが好ましい。なお、この明細書で用いる「識別コード」という用語は、種々の物品に関する種々の情報を示す光学的に読み取り可能な周知の一次元コード、すなわちバーコードか、またはＱＲコード（株式会社デンソーウェーブの登録商標）などの二次元コードを意味する。
【００１１】
第２の彩色部がキャラクターを含むことができ、この明細書で用いる「キャラクター」という用語は、文字および記号および図形および模様およびこれらの組み合わせの少なくとも何れか１つを含むことを意味する。
【００１２】
第１および第２の彩色部と、位置ずれ識別部とがフィルムに貼付されるラベルであってよい。あるいは、第１および第２の彩色部と、位置ずれ識別部とが包装前のシュリンクフィルムにあらかじめ印刷されたものであってよく、シュリンクフィルムの加熱接合部および熱収縮部が物品の第１および第２の面以外の面と対向する位置にあることが好ましい。
【００１３】
稜と対向する位置ずれ識別部の稜に沿った長さは、稜と直交する方向に沿って稜から離れるほど長くなっているものであってよい。逆に、稜と対向する位置ずれ識別部の稜に沿った長さは、稜と直交する方向に沿って稜から離れるほど短くなっているものであってよい。あるいは、稜と対向する位置ずれ識別部は、第１の彩色部および第２の彩色部に対し、稜に沿って何れかの方向にオフセットされているものであってよい。
【発明の効果】
【００１４】
本発明の包装体によると、第１の彩色部と第２の彩色部との間に物品に対するこれらの位置のずれの程度を識別するための位置ずれ識別部が配されているので、包装された物品に対する第１および第２の彩色部の位置ずれを容易に識別することができる。
【００１５】
第１の彩色部が第２の識別コードを有し、この第２の識別コードが物品の第１の面に印刷された第１の識別コードを覆うように配される場合、包装体の外側から第１の識別コードを見えないようにすることができる。
【００１６】
第２の彩色部がキャラクターを含む場合、複数の同一物品を梱包した包装体であることを明確に表示することができる。
【００１７】
第１および第２の彩色部と、位置ずれ識別部とがフィルムに貼付されるラベルの場合、包装後にラベルを貼付することができる。また、第１および第２の彩色部と位置ずれ識別部とが包装前に印刷されたシュリンクフィルムの加熱接合部および熱収縮部を物品の第１および第２の面以外の面と対向する位置に設定した場合、シュリンク包装後の彩色部の位置ずれを最小限に抑えることができる。
【００１８】
稜と対向する位置ずれ識別部の稜に沿った長さが、稜と直交する方向に沿って稜から離れるほど長くなっている場合、物品の稜を基準として第１および第２の彩色部の相対位置のずれの程度を容易に識別することができる。稜と対向する位置ずれ識別部の稜に沿った長さが、稜と直交する方向に沿って稜から離れるほど短くなっている場合も同様である。また、第１の彩色部および第２の彩色部に対し、稜と対向する位置ずれ識別部が稜に沿って何れかの方向にオフセットされている場合も、物品の稜を基準として第１および第２の彩色部の相対位置のずれの程度を容易に識別することが可能である。
【図面の簡単な説明】
【００１９】
【図１】本発明による包装体をシュリンク包装される２個組のティシュカートンに応用した一実施形態の外観を底面側から見た斜視図である。
【図２】図１に示した実施形態の分解斜視図であり、シュリンクフィルムは印刷された彩色部および位置ずれ識別部のみを抽出して示している。
【図３】図１に示した実施形態におけるシュリンクフィルムの彩色部および位置ずれ識別部を抽出拡大した正面図である。
【図４】彩色部および位置ずれ識別部の他の形態を表す正面図である。
【図５】彩色部および位置ずれ識別部のさらに別な形態を表す正面図である。
【発明を実施するための形態】
【００２０】
本発明による包装体をシュリンク包装される２個組のティシュカートンに応用した一実施形態について、図１〜図５を参照しながら詳細に説明するが、本発明はこのような実施形態のみに限らず、必要に応じてこれらをさらに組み合わせることが可能である。
【００２１】
本発明によるシュリンク包装体の一実施形態の底面側から見た外観を図１に示し、その分解状態を図２に模式的に示す。本実施形態におけるシュリンク包装体１０は、透明なシュリンクフィルム２０と、このシュリンクフィルム２０によってシュリンク包装される２箱のティシュカートン３０とで構成されるが、これに限定されない。必要に応じて３個以上のティシュカートン３０を同じ向きに重ね合わせてシュリンク包装することも可能である。
【００２２】
本発明における物品としての個々のティシュカートン３０は、底面３０Ｂと、この底面３０Ｂの反対側に位置する図示しない上面と、前後一対の横長側面、すなわち前面３０Ｆおよび図示しない後面と、左右一対の側面（左側面３０Ｌのみ示す）とを有する。ティシュカートン３０には、所定枚数の図示しないティシュが折り畳まれた状態で収容されている。本発明における物品の第１の面としてのティシュカートン３０の底面３０Ｂには、このティシュカートン３０に関する情報を含む本発明における第１の識別コードとしての第１のバーコード３１が印刷されている。
【００２３】
このシュリンクフィルム２０に印刷された彩色部２１，２２および位置ずれ識別部２３のみを抽出拡大して図３に示す。透明なシュリンクフィルム２０の一部には、第１の彩色部２１と、第２の彩色部２２と、位置ずれ識別部２３とが印刷されている。
【００２４】
第１の彩色部２１は、シュリンク包装体１０に関する情報を含む本発明における第２の識別コードとしての第２のバーコード２１ａと、任意のキャラクター２１ｂと、第２のバーコード２１ａおよびキャラクター２１ｂを取り囲む単一彩色表面層２１ｃとを有する。任意のキャラクター２１ｂとして、例えば容器包装リサイクル法に準拠した素材を示すための識別マークや、各種標語あるいはティシュの枚数や大きさの表示などが挙げられる。本実施形態では、単一彩色表面層２１ｃが第２のバーコード２１ａおよび任意のキャラクター２１ｂの全体を取り囲むようにしているが、第２のバーコード２１ａおよび任意のキャラクター２１ｂの少なくとも一部を取り囲むようにすることも可能である。この第１の彩色部２１は、２個パックのティシュカートン３０のうちで外側に露出する底面３０Ｂと対向してこの底面３０Ｂに印刷された第１のバーコード３１を少なくとも覆うように配される。本実施形態では、第１のバーコード３１に対して第２のバーコード２１ａの位置が多少ずれていても、第２のバーコード２１ａを取り囲む単一彩色表面層２１ｃによって、第１のバーコード３１を見えないようにすることが可能である。
【００２５】
第２の彩色部２２は、この第１の彩色部２１によって第１のバーコード３１が覆われた下側に位置するティシュカートン３０の前面３０Ｆと対向するように配される。第２の彩色部２２は、必要に応じて任意のキャラクター２２ｂと、このキャラクター２２ｂの少なくとも一部を取り囲む単一彩色表面層２２ｃとを有する。任意のキャラクター２２ｂは、例えば２個パックのティシュカートン３０であることを明確に表示するためのものなどであってよい。第２の彩色部２２の単一彩色表面層２２ｃは、第１の彩色部２１の単一彩色表面層２１ｃと同じものであってよく、これによって印刷コストを抑えることが可能である。
【００２６】
第１の彩色部２１とこの第１の彩色部２１によって覆われる第１のバーコード３１との相対位置のずれの程度を識別するための位置ずれ識別部２３は、第１および第２の彩色部２１，２２の間に位置してこれら２つの彩色部２１，２２に連続して形成される。本実施形態における位置ずれ識別部２３は、第１および第２の彩色部２１，２２の単一彩色表面層２１ｃ，２２ｃと同じ単一彩色表面層２３ｃを有する。この位置ずれ識別部２３は、第１の彩色部２１によって第１のバーコード３１が覆われる下側のティシュカートン３０の底面３０Ｂおよび前面３０Ｆと、これらの間の稜３２とに対向するように配される。稜３２の長手方向に対して直交する方向に沿った位置ずれ識別部２３の高さ（幅）は、３０ｍｍ以下であることが好ましい。この場合、稜３２の長手方向に対して直交する方向に沿った第１および第２の彩色部２１，２２の位置ずれの最大許容値が１５ｍｍとなるけれども、これに限定されない。
【００２７】
本実施形態では、稜３２と対向する位置ずれ識別部２３の稜３２に沿った長さは、ティシュカートン３０の底面３０Ｂと前面３０Ｆとの間の稜３２と直交する方向に沿って、この稜３２から離れるほど長くなるように設定している。結果として、稜３２に沿った位置ずれ識別部２３の幅方向両端側が窪んだ形状となる。従って、この窪んだ部分に稜３２が位置している場合、ティシュカートン３０に対して問題となるような第１および第２の彩色部２１，２２の位置ずれが起きていないと判断することができる。より具体的には、稜３２に沿った位置ずれ識別部２３の長さがその最小値ＬNと閾値ＬAとの間にある場合、ティシュカートン３０の稜３２に対して直交する方向の位置ずれが許容範囲内にあると判断でき、これを光学的に識別することも可能である。この場合、最小値ＬNと閾値ＬAとの差が２ｍｍ以上であって、上述した閾値ＬAが最小値ＬNの１.０１〜２.００倍の範囲となることが好ましいけれども、これに限定されない。本実施形態では、閾値ＬAを最小値ＬNの１.０５倍に設定している。
【００２８】
また、本実施形態では、第１の彩色部２１のキャラクター２１ｂおよび第２の彩色部２２のキャラクター２２ｂのそれぞれ少なくとも一部が位置ずれ識別部２３に接するように配されている。これにより、ティシュカートン３０の底面３０Ｂと前面３０Ｆとの間の稜３２と直交する方向への第１の彩色部２１と第１のバーコード３１との相対位置のずれの程度を容易に識別することができる。すなわち、第１または第２の彩色部２１，２２のキャラクター２１ｂ，２２ｂの一部がティシュカートン３０の底面３０Ｂと前面３０Ｆとの間の稜３２と重なっている場合、第１および第２の彩色部２１，２２の位置が不適正であると判断することができる。より具体的には、ティシュカートン３０に対して第１および第２の彩色部２１，２２がティシュカートン３０の稜３２に対して直交する方向に大きく位置ずれしていることを把握可能である。
【００２９】
なお、第１の彩色部２１のキャラクター２１ｂおよび第２の彩色部２２のキャラクター２２ｂの一部が位置ずれ識別部２３に入り込むようにあらかじめ印刷することも可能であり、この位置ずれ識別部２３に別なキャラクターを配することも可能である。この場合、上述した稜３２に沿った位置ずれ識別部２３の長さに基づいて第１および第２の彩色部２１，２２の位置ずれの有無を判断すればよい。
【００３０】
本実施形態では、第１および第２の彩色部２１，２２および位置ずれ識別部２３が共通の下地層２４をさらに有する。第２のバーコード２１ａおよび単一彩色表面層２１ｃ，２２ｃ，２３ｃはこの下地層２４の上に形成され、単一彩色表面層２１ｃ，２２ｃ，２３ｃの明瞭性が向上するように配慮している。この場合、下地層２４として一般的には白色塗料が用いられるが、これに限定されない。また、第１の彩色部２１のキャラクター２１ｂおよび第２の彩色部２２のキャラクター２２ｂの少なくとも一方は、単一彩色表面層２１ｃ，２２ｃを含まない下地層２４のみで形成し、これによって印刷コストを抑えることが可能である。しかしながら、このような下地層２４を形成せず、単一彩色表面層２１ｃ，２２ｃと異なる色相のキャラクター２１ｂ，２２ｂを単一彩色表面層２１ｃ，２２ｃと同時に印刷するようにしてもよい。
【００３１】
第１および第２の彩色部２１，２２ならびに位置ずれ識別部２３が印刷されたシュリンクフィルム２０の図示しない加熱接合部および熱収縮部は、例えば次のように設定される。すなわち、ティシュカートン３０の底面３０Ｂおよび前面３０Ｆ以外の面、より具体的には、ティシュカートン３０の後面や左右一対の側面ならびに底面３０Ｂと前面３０Ｆとの間の稜３２以外の稜と対向する位置に好ましくは設定される。
【００３２】
このようなシュリンク包装体１０は、次のようにして梱包される。すなわち、まず２箱のティシュカートン３０を上下に重ね合わせ、上側に位置するティシュカートン３０の下面と、下側に位置するティシュカートン３０の上面とを重ね合わせた状態でこれらを矩形のシート状をなすシュリンクフィルム２０の上に載せる。この場合、シュリンクフィルム２０に印刷された第１の彩色部２１の第２のバーコード２１ａに対し、下側に位置するティシュカートン３０の底面３０Ｂに印刷された第１のバーコート３１が重なるように、ティシュカートン３０の位置が適切に設定される。次に、このシュリンクフィルム２０をティシュカートン３０の稜３２に沿って折り込み、相互に重なり合う接合部分、すなわち加熱接合部を熱融着する。さらに、シュリンクフィルム２０がティシュカートン３０の表面に密着するように、ティシュカートン３０に対して弛んでいるシュリンクフィルム２０の部分、すなわち熱収縮部を加熱してここを熱収縮させる。なお、加熱接合部や熱収縮部を第１および第２の彩色部２１，２２ならびに位置ずれ識別部２３が対向しないティシュカートン３０の側面や背面などに設定することが望ましいことは、先にも述べた通りである。
【００３３】
上述した実施形態では、稜３２に沿った位置ずれ識別部２３の幅方向両端側を窪んだ形状としているが、稜３２と対向する位置ずれ識別部２３の稜３２に沿った長さを稜３２と直交する方向に沿って稜３２から離れるほど短くするようにしてもよい。
【００３４】
このような本発明における彩色部２１，２２および位置ずれ識別部２３の他の形態を図４に示すが、先の実施形態と同一機能の要素にはこれと同一符号を記すに止め、重複する説明を省略する。すなわち、本実施形態における彩色部２１，２２および位置ずれ識別部２３は、ティシュカートン３０の稜３２に沿った位置ずれ識別部２３の幅方向両端側ほど左右に突出した輪郭形状を有する。従って、この突出した部分に稜３２が位置している場合、ティシュカートン３０に対して問題となるような第１および第２の彩色部２１，２２の位置ずれが起きていないと判断することができる。より具体的には、稜３２に沿った位置ずれ識別部２３の長さＬがその最大値ＬXと閾値ＬAとの間にある場合、ティシュカートン３０の稜３２に対して直交する方向への位置ずれが許容範囲内にあると判断でき、これを光学的に識別することも可能である。この場合、最大値ＬXと閾値ＬAとの差が２ｍｍ以上であって、上述した閾値ＬAが最大値ＬXの０.７０〜０.９９倍の範囲となることが好ましいけれども、これに限定されない。
【００３５】
本実施形態では、位置ずれ識別部２３に第１および第２の彩色部２１，２２と異なる表面模様を持たせ、位置ずれ識別部２３を明確化させている。具体的には、第１および第２の彩色部２１，２２と同じ単一彩色表面層２３ｃを透明なシュリンクフィルム２０に対して所定間隔で規則的に配列させているが、これに限定されない。このように、位置ずれ識別部２３が第１および第２の彩色部２１，２２と異なる表面模様を有する場合、第１の彩色部２１と第１のバーコード３１との相対位置のずれの程度を容易に識別することができる。特に、本実施形態のように、第１および第２の彩色部２１，２２と同じ単一彩色表面層２３ｃに表面模様を形成した場合、印刷コストを増大させる懸念も生じない。
【００３６】
稜３２に沿った第１の彩色部２１または第２の彩色部２２および位置ずれ識別部２３の長さが同じ場合であっても、位置ずれ識別部２３を第１および第２の彩色部２１，２２に対してオフセットさせることによって、位置ずれの程度を把握することも可能である。
【００３７】
このような本発明における彩色部２１，２２および位置ずれ識別部２３の他の形態を図５に示すが、先の実施形態と同一機能の要素にはこれと同一符号を記すに止め、重複する説明を省略する。すなわち、本実施形態における第１および第２の彩色部２１，２２および位置ずれ識別部２３の輪郭形状はほぼ矩形に設定されている。また、ティシュカートン３０の稜３２に沿った第１および第２の彩色部２１，２２の長さＬ1，Ｌ2および位置ずれ識別部２３の長さＬは、ほぼ同じに設定されている。しかしながら、位置ずれ識別部２３は第１および第２の彩色部２１，２２に対し、ティシュカートン３０の稜３２に沿って左右何れかの方向（図示例では右方向）に所定量ＬSだけオフセットされている。従って、ティシュカートン３０の右側面３０Ｒから本来の位置にある位置ずれ識別部２３までの距離Ｌ0が例えば第１または第２の彩色部２２までの距離ＬB以上になった場合、第１および第２の彩色部２２の位置が不適合であると判断することができる。より具体的には、ティシュカートン３０の稜３２に対して直交する方向への第１および第２の彩色部２２の位置ずれが許容範囲を外れていると判断することができ、これは光学的に識別することも可能である。
【００３８】
なお、図４に示すように、位置ずれ識別部２３に第１および第２の彩色部２１，２２と異なる表面模様を持たせた場合、ティシュカートン３０に対する第１および第２の彩色部２１，２２の位置ずれの程度を把握可能である。この場合、位置ずれ識別部２３を稜３２に沿って第１および第２の彩色部２１，２２に対し必ずしもオフセットさせる必要はなくなる。また、印刷コストを考慮する必要がないのであれば、第１および第２の彩色部２１，２２ならびに位置ずれ識別部２３の単一彩色表面層２１ｃ，２２ｃ，２３ｃの色相をそれぞれ異なる色相することができる。同様に、相互に異なる所定パターンの模様をこれらの単一彩色表面層２１ｃ，２２ｃ，２３ｃに形成させることも可能である。
【００３９】
上述した実施形態ではティシュカートン３０を対象としたが、第１の面と、この第１の面に稜を介して隣接する第２の面とをそれぞれ有する複数の同一物品を透明なフィルムによって一体的に包装する場合であれば、適宜、本発明を適用させることが可能である。また、彩色部２１，２２および位置ずれ識別部２３をラベルとして印刷したものを梱包前または梱包後の透明なフィルムに機械的に貼着する場合であっても、本発明を適用させることが可能である。
【００４０】
このように、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のない構成を含め、その用途や目的などに応じて任意に変更し得るものである。
【符号の説明】
【００４１】
１０  シュリンク包装体
２０  シュリンクフィルム
２１，２２  彩色部
２１ａ  第２のバーコード
２１ｂ，２２ｂ  キャラクター
２１ｃ，２２ｃ，２３ｃ  単一彩色表面層
２３  位置ずれ識別部
２４  下地層
３０  ティシュカートン
３０Ｂ  底面
３０Ｆ  前面
３１  第１のバーコード３１
Ｌ  稜に沿った位置ずれ識別部の長さ
Ｌ1  稜に沿った第１の彩色部の長さ
Ｌ2  稜に沿った第２の彩色部の長さ
ＬA  閾値
ＬN  稜に沿った位置ずれ識別部の長さの最小値
ＬS  位置ずれ識別部のオフセット量
ＬX  稜に沿った位置ずれ識別部の長さの最大値
【図１】
2019059513.tif 000003
【図２】
2019059513.tif 000004
【図３】
2019059513.tif 000005
【図４】
2019059513.tif 000006
【図５】
2019059513.tif 000007